(57)【特許請求の範囲】
【請求項１】
所定の周期で属性情報が挿入されたデータストリームを受信して記録装置に対して出力する受信装置において、
前記データストリームを受信する受信手段と、
前記受信手段によって受信されたデータストリームから前記属性情報を抽出する属性情報抽出手段と、
受信されたデータストリームの前記記録装置への記録要求がなされた場合には、前記属性情報抽出手段によって抽出された前記属性情報を、前記記録装置に記録するデータストリームの先頭領域に付加する付加手段と、
前記付加手段によって前記属性情報が付加されたデータストリームを、前記記録装置に対して転送する転送手段と、
前記属性情報を構成する１または２以上の種類の異なる情報のそれぞれに、優先順位を対応付けて記憶する優先順位記憶部と、
を有し、
前記付加手段は、前記優先順位記憶部の記憶情報に基づき、前記属性情報の中の前記優先順位が高い種類の情報ほど、前記先頭領域に早い順番となるように付加することを特徴とする受信装置。
【請求項２】
前記付加手段は、前記属性情報抽出手段によって抽出された前記属性情報に対して所定の変換処理を施して得られた情報を、前記先頭領域に付加することを特徴とする請求項１記載の受信装置。
【請求項３】
前記付加手段は、前記属性情報の中の少なくとも１つの種類の情報については、同一種類の同じ内容の情報を前記先頭領域に複数個付加することを特徴とする請求項１記載の受信装置。
【請求項４】
前記種類の異なる情報のそれぞれに、前記先頭領域に付加する個数を示す情報を対応付けて記憶する個数記憶部をさらに有し、
前記付加手段は、前記個数記憶部の記憶情報に基づいて、前記種類の異なる情報のそれぞれを前記先頭領域に付加する個数を決定する、
ことを特徴とする請求項３記載の受信装置。
【請求項５】
所定の周期で属性情報が挿入されたデータストリームを入力して記録装置に対して記録させる制御を行う記録制御装置において、
前記データストリームを入力する入力手段と、
前記入力手段から入力されたデータストリームから前記属性情報を抽出する属性情報抽出手段と、
入力されたデータストリームの前記記録装置への記録要求がなされた場合には、前記属性情報抽出手段によって抽出された前記属性情報を、前記記録装置に記録するデータストリームの先頭領域に付加する付加手段と、
前記付加手段によって前記属性情報が付加されたデータストリームを、前記記録装置に対して転送する転送手段と、
前記属性情報を構成する１または２以上の種類の異なる情報のそれぞれに、優先順位を対応付けて記憶する優先順位記憶部と、
を有し、
前記付加手段は、前記優先順位記憶部の記憶情報に基づき、前記属性情報の中の前記優先順位が高い種類の情報ほど、前記先頭領域に早い順番となるように付加することを特徴とする記録制御装置。
【発明の詳細な説明】
【０００１】
【発明の属する技術分野】
本発明は受信装置および記録制御装置に関し、特に、所定の周期で属性情報が挿入されたデータストリームを受信して記録装置に対して出力する受信装置および所定の周期で属性情報が挿入されたデータストリームを入力して記録装置に対して記録させる制御を行う記録制御装置に関する。
【０００２】
【従来の技術】
衛星放送では、複数のチャンネルのデータが多重化されたトランスポートストリーム（以下、適宜ＴＳと称す）が放送衛星から送信され、受信装置では、放送衛星からのＴＳを受信して希望するチャンネルのデータを抽出して再生する。
【０００３】
ところで、ＴＳから目的のチャンネルのデータを再生する場合には、ＴＳに所定の周期で挿入されている属性情報を参照し、この属性情報に応じて該当するパケットを選択してデコードすることにより所望のチャンネルのデータ（コンポーネント）を得ることができる。
【０００４】
ところで、このようにして受信したＴＳを、例えば、ＨＤＤ（Hard Disk Drive）やディジタルＶＴＲ（Video Tape Recorder）に記録する場合には、記録しようとする番組に応じたＴＳパケットを抽出するとともに、抽出したＴＳパケットに対応した属性情報を生成して付加する必要がある。このようにして生成されたＴＳを以下ではパーシャルＴＳと呼ぶ。
【０００５】
パーシャルＴＳの標準的なデータフォーマットは、電波産業会（ＡＲＩＢ）が発行する標準規格である「ＢＳデジタル放送用受信装置  ＡＲＩＢ  ＳＴＤ−Ｂ２１  第９章」に規定されている。この標準規格では、ＴＳからパーシャルＴＳを生成する際には、新たなＰＡＴ，ＰＭＴは旧ＰＡＴ，ＰＭＴが挿入されていた同一位置に挿入することが推奨されている。また、ＳＩＴとしては、放送局側で付加されたＥＩＴ（Event Information Table）と同一周期で挿入することが推奨されており、ＥＩＴと同一周期のカウンタを元にして挿入することが一般的である。
【０００６】
図９は、属性情報とデータとの関係を示す図である。この図に示すように、パーシャルＴＳに含まれている属性情報の最上位の階層には、ＰＡＴ（Program Associatian Table）が存在する。このＰＡＴは、図１０に示すように、後述するＰＭＴ（Program Map Table）とＳＩＴ（Selection Information Table）を伝送するＴＳパケットのＰＩＤ（Packet ID）を指定する役割を担っている。図９の例では、ＰＡＴは、番組Ａ，Ｂ，Ｃに関するＰＭＴ＿Ａ，ＰＭＴ＿Ｂ，ＰＭＴ＿Ｃを指定している。
【０００７】
ＰＭＴは、図１０に示すように、番組のコンポーネントを伝送するＴＳパケットのＰＩＤを指定する役割を担っている。この例では、ＰＭＴ＿Ａは、番組Ａを構成するＴＳパケットである音声ｄａ１、映像ｄａ２、および、文字ｄａ３を指定する。また、ＰＭＴ＿Ｂは、番組Ｂを構成するＴＳパケットである音声ｄｂ１、映像ｄｂ２、および、文字ｄｂ３を指定し、ＰＭＴ＿Ｃは、番組Ｃを構成するＴＳパケットである音声ｄｃ１、映像ｄｃ２、および、文字ｄｃ３を指定する。
【０００８】
なお、図１０に示す属性情報のうち、ＳＩＴは、番組に関する情報（例えば、番組のジャンルや出演者を示す情報）を格納した属性情報である。ＤＩＴ（Discontinuity Information Table）は、受信したＴＳパケットを記録装置に記録する際に、番組配列情報（パーシャルＴＳの場合ではＰＡＴ，ＰＭＴ，ＳＩＴ）が不連続であるかも知れない変化点を示す属性情報である。
【０００９】
図１１は、受信装置がパーシャルＴＳパケットを受信する際の処理の流れを説明するための図である。この図に示すように、再生が開始されると、受信装置は、ＰＩＤ＝０Ｘ００００であるパケット（ＰＡＴ）を受信する（Ｓ１）。
【００１０】
次に受信装置は、ＰＡＴに含まれているＰＭＴとＳＩＴのＰＩＤを取得する。この例では、番組Ａと番組Ｂの２種類のＰＭＴのＰＩＤである０Ｘ０００Ａ，０Ｘ０００Ｂと、ＳＩＴのＰＩＤである０Ｘ００１Ｆとが取得される。
【００１１】
ここで、受信対象となる番組が番組Ａであるとすると、受信装置は、ＰＩＤが０Ｘ０００ＡであるＴＳパケットを受信し（Ｓ２）、番組Ａを構成するコンポーネントパケットのＰＩＤを取得する。この例では、映像、音声、文字、および、データのＰＩＤとして０Ｘ００１０，０Ｘ００２０，０Ｘ００３０，０Ｘ００４０がそれぞれ取得される。また、ＣＬＫは、時間情報が格納されたパケットを特定するための属性情報であり、これはＰＩＤが０Ｘ００Ｃ０であるパケットに格納されている。
【００１２】
次に、受信装置は、ＰＩＤ＝０Ｘ００Ｃ０であるＴＳパケットを受信し（Ｓ３）、タイミング再生（Ｓ４）を実行し、映像と音声の再生タイミングの調節を行う。
【００１３】
続いて、受信装置は、ＰＩＤ＝０Ｘ００１０であるＴＳパケットを受信し（Ｓ５）、所定の時間だけ遅延を行った（Ｓ６）後、ビデオデコーダにて映像を再生する処理を実行する（Ｓ７）。そして、再生されたビデオを表示する（Ｓ８）。
【００１４】
また、受信装置は、ＰＩＤ＝０Ｘ００２０であるＴＳパケットを受信し（Ｓ９）、所定の時間だけ遅延を行った（Ｓ１０）後、音声デコーダにて音声を再生する処理を実行する（Ｓ１１）。そして、再生された音声を出力する（Ｓ１２）。
【００１５】
更に、受信装置は、ＰＩＤ＝０Ｘ００１ＦであるＴＳパケットを受信し（Ｓ１３）、ＳＩＴデコードおよび加工処理を実行した（Ｓ１４）後、再生されたＳＩＴに関する情報を表示する（Ｓ８）。
【００１６】
以上の処理により、受信装置は、パーシャルＴＳを再生することができる。
受信装置は、放送衛星から伝送されてきたＴＳを受信して再生することができる。
【００１７】
図１２は、ＴＳからパーシャルＴＳを生成する従来回路の一例を示す図である。この図において、制御部３０は、入力されたＴＳ（以下、入力ＴＳと称す）に含まれている特定のＴＳパケットを検出し、ＰＩＤ比較部３１に通知する。
【００１８】
ＰＩＤ比較部３１は、ＰＡＴおよびＰＭＴに対応するＰＩＤ（以下、基準ＰＩＤと称す）の入力を受け、これらのＰＩＤが検出された場合には、バッファ管理部３３に対してＰＡＴ，ＰＭＴの挿入指示を通知する。
【００１９】
タイマ３２は、回路動作開始と共にカウント動作を開始し、所定の時間が経過した場合にはＳＩＴの挿入指示をバッファ管理部３３に対して通知する。
バッファ管理部３３は、バッファ３４に格納されている新たなＰＡＴ，ＰＭＴ，ＳＩＴ等を読み出してセレクタ３５に供給する。
【００２０】
バッファ３４は、置換の対象となる新たなＰＡＴ，ＰＭＴ，ＳＩＴ等を格納している。
セレクタ３５は、入力ＴＳに対してバッファ管理部３３から供給されたＰＡＴおよびＰＭＴによって旧ＰＡＴおよび旧ＰＭＴを置換するとともに、所定の周期でＳＩＴを挿入してパーシャルＴＳを生成して出力する。
【００２１】
論理積回路３６は、ＰＩＤ比較部３１からのＰＩＤ比較結果不一致指示信号と、タイマ３２からのｅｎａｂｌｅ信号との論理積を算出し、ＳＩＴ挿入指示信号としてバッファ管理部３３に供給する。
【００２２】
図１３は、図１２に示す回路の動作を説明するための図である。この図において、（Ａ）は入力ＴＳを示し、（Ｂ）はパーシャルＴＳを示している。また、Ｖ＿Ｘは、番組Ｘのコンポーネントを含むパケットを示す。ＰＭＴ＿Ｘは、パケットＶ＿ＸのＰＩＤが記述されたＰＭＴを含むパケットを示す。更に、ｏｒｇは、入力ＴＳに含まれている属性情報を示し、ｎｅｗはパーシャルＴＳに出力すべき属性情報を示している。
【００２３】
いま、受信装置が受信したＴＳのうち、番組Ａ，Ｂに関するデータを、ＨＤＤ等の記録装置に記録する要求がなされたとすると、図１２に示す回路にはＴＳの供給が開始される。図１３の例では、記録の要求が発生した時点で受信した番組Ａに関するコンポーネントであるＶ＿Ａが入力ＴＳとして供給される。
【００２４】
このコンポーネントＶ＿Ａは、属性情報ではないことから、そのままの状態で制御部３０およびセレクタ３５を通過し、パーシャルＴＳとして出力される（図１３（Ｂ）参照）。
【００２５】
続いて、Ｖ＿ＡおよびＶ＿Ｂが受信された後、ＰＡＴｏｒｇが受信されると、ＰＩＤ比較部３１はこれを検知し、ＰＡＴ挿入指示をバッファ管理部３３に通知する。バッファ管理部３３は、バッファ３４に格納されている新たなＰＡＴであるＰＡＴｎｅｗを取得し、セレクタ３５に供給する。セレクタ３５は、ＰＡＴｏｒｇをＰＡＴｎｅｗによって置換し、出力する（図１３（Ｂ）参照）。
【００２６】
同様にして、ＰＭＴ＿ＡｏｒｇおよびＰＭＴ＿Ｂｏｒｇは、ＰＭＴ＿ＡｎｅｗおよびＰＭＴ＿Ｂｎｅｗにそれぞれ置換され、出力される。なお、番組Ｃに関するＶ＿ＣおよびＰＭＴ＿Ｃｏｒｇは、記録対象とはなっていないことから、パーシャルＴＳとしては出力されない。また、ＳＩＴｎｅｗに関しては、ＰＩＤ比較部３１の結果が不一致であり、タイマ３２からｅｎａｂｌｅ信号が出力されるタイミングで挿入されて出力される。
【００２７】
【発明が解決しようとする課題】
ところで、以上に示す従来の回路によりデータを記録した場合には、要求がなされた時点からデータの記録が開始されることになるので、コンポーネントを受信中に記録要求がなされた場合には、ＨＤＤ等には、図１４に示す状態でパーシャルＴＳが格納されることになる。即ち、この例では、コンポーネントが所定量だけ記録された後、ＰＡＴとＰＭＴとが記録され、その後にコンポーネントが格納されている。
【００２８】
このようにして格納されたパーシャルＴＳを再生する場合には、図１４に破線の矢印で示す方向に、上（図の上）から下方向にＴＳパケットが順次読み出されて再生されることになる。しかしながら、コンポーネントを再生するためには、ＰＡＴおよびＰＭＴが必要であるため、図１４の例では、ハーフトーンを施したコンポーネント（ＰＡＴおよびＰＭＴ以降に格納されたコンポーネント）のみが再生可能であり、それ以前に配置されているコンポーネントは、記録されているのみで、再生することができない。
【００２９】
従って、従来の回路では、無駄な情報が記録装置に格納されてしまい、記録装置の記録容量が浪費されてしまうという問題点があった。
本発明は、このような点に鑑みてなされたものであり、記録要求がなされた場合には、再生可能な状態で即座にデータの記録を開始するとともに、記録媒体の浪費を防ぐ受信装置および記録制御装置を提供することを目的とする。
【００３０】
【課題を解決するための手段】
本発明では上記課題を解決するために、図１に示す、所定の周期で属性情報が挿入されたデータストリームを受信して記録装置２に対して出力する受信装置１において、前記データストリームを受信する受信手段１ａと、前記受信手段１ａによって受信されたデータストリームから前記属性情報を抽出する属性情報抽出手段１ｂと、受信されたデータストリームの前記記録装置２への記録要求がなされた場合には、前記属性情報抽出手段１ｂによって抽出された前記属性情報を、前記記録装置２に記録するデータストリームの先頭領域に付加する付加手段１ｃと、前記付加手段１ｃによって前記属性情報が付加されたデータストリームを、前記記録装置２に対して転送する転送手段１ｄと、前記属性情報を構成する１または２以上の種類の異なる情報のそれぞれに、優先順位を対応付けて記憶する優先順位記憶部と、を有し、前記付加手段１ｃは、前記優先順位記憶部の記憶情報に基づき、前記属性情報の中の前記優先順位が高い種類の情報ほど、前記先頭領域に早い順番となるように付加することを特徴とする受信装置が提供される。
【００３１】
ここで、受信手段１ａは、例えば、放送衛星から送信されたデータストリームを受信する。属性情報抽出手段１ｂは、受信手段１ａによって受信されたデータストリームから属性情報を抽出する。付加手段１ｃは、受信されたデータストリームの記録装置２への記録要求がなされた場合には、属性情報抽出手段１ｂによって抽出された属性情報を、データストリームの先頭領域に付加する。転送手段１ｄは、付加手段１ｃによって属性情報が付加されたデータストリームを、記録装置２に対して転送する。また、属性情報は１または２以上の種類の異なる情報によって構成されており、優先順位記憶部は、それらの種類の異なる情報のそれぞれに、優先順位を対応付けて記憶する。そして、付加手段１ｃが属性情報をデータストリームの先頭領域に付加する際には、優先順位記憶部の記憶情報に基づき、属性情報の中の優先順位が高い種類の情報ほど、データストリームの先頭領域に早い順番となるように付加する。
【００３２】
【発明の実施の形態】
以下、本発明の実施の形態を図面を参照して説明する。
図１は、本発明に係る受信装置の動作原理を説明するための原理図である。この図に示すように、本発明に係る受信装置１は、受信手段１ａ、属性情報抽出手段１ｂ、付加手段１ｃ、および、転送手段１ｄによって構成されており、その外部には記録装置２が接続されている。なお、記録装置２は、受信装置１に内蔵される場合もある。
【００３３】
ここで、受信手段１ａは、例えば、図示せぬ放送衛星から送信されたデータストリームを受信する。
属性情報抽出手段１ｂは、受信手段１ａによって受信されたデータストリームから属性情報を抽出する。
【００３４】
付加手段１ｃは、受信されたデータストリームの記録装置２への記録要求がなされた場合には、属性情報抽出手段１ｂによって抽出された属性情報を、記録装置２に記録するデータストリームの先頭に付加する。
【００３５】
転送手段１ｄは、付加手段１ｃによって属性情報が付加されたデータストリームを、記録装置２に対して転送する。
次に、以上の原理図の動作について説明する。
【００３６】
受信手段１ａは、図示せぬ放送衛星から送信されたデータストリームを受信し、復調処理等を施した後、属性情報抽出手段１ｂおよび付加手段１ｃに対して出力する。
【００３７】
属性情報抽出手段１ｂは、データストリームに所定の周期で挿入されている属性情報を、受信手段１ａから供給されたデータストリームから抽出し、付加手段１ｃに供給する。
【００３８】
付加手段１ｃは、受信データを記録装置２に対して記録する要求がなされた場合には、記録の対象となるデータストリームの先頭に属性情報を付加したものを生成して転送手段１ｄに供給する。具体的には、付加手段１ｃは、先ず、属性情報抽出手段１ｂによって抽出された属性情報であって、記録しようとする番組に係る属性情報を、転送手段１ｄに供給する。続いて、付加手段１ｃは、受信手段１ａによって受信されたデータストリームのうち、記録しようとする番組に係るデータストリームを抽出して、転送手段１ｄに供給する。
【００３９】
転送手段１ｄは、付加手段１ｃから供給された、記録しようとする番組に関するデータストリームの先頭に属性情報が付加されたデータを、記録装置２に転送して記録させる。
【００４０】
その結果、記録装置２に記録されるデータの先頭には、付加手段１ｃによって付加された属性情報が必ず付加されることになるので、このようにして記録されたデータを再生する際には、この先頭に付加された属性情報を利用することにより、全てのデータを再生することが可能となる。
【００４１】
以上に説明したように、本発明に係る受信装置によれば、付加手段１ｃにより、記録装置２に記録するデータストリームの先頭に属性情報を強制的に付加するようにしたので、記録した全てのデータを無駄なく再生することが可能となる。
【００４２】
次に、図２を参照して、本発明の実施の形態について説明する。
図２は、本発明の実施の形態の構成例を示す図である。この図において、パラボラアンテナ１０は、図示せぬ放送衛星から送信された電波を受信し、受信装置１１に供給する。
【００４３】
受信装置１１は、パラボラアンテナ１０から供給された電波を復調してＴＳを生成するとともに、受信しようとする番組のコンポーネントを復号して映像信号その他を生成し、モニタ１３に供給する。
【００４４】
ＨＤＤ１２は、受信装置１１によって受信されたＴＳのうち、所定の番組に関するコンポーネントをディジタル信号として記録する。
モニタ１３は、例えば、ＣＲＴ（Cathode Ray Tube）モニタ等によって構成されており、受信装置１１によって受信された番組を表示出力する。
【００４５】
ディジタルＶＴＲ１４は、ＨＤＤ１２と同様に、受信装置１１によって受信されたＴＳのうち、所定の番組に関するコンポーネントをディジタル信号として記録する。
【００４６】
図３は、受信装置１１の詳細な構成例を示す図である。この図に示すように、本発明に係る受信装置１１は、ＴＵＮＥＲ１１ａ、ＴＳデコーダ１１ｂ、パーシャル１１ｃ、ビデオデコーダ１１ｄ、オーディオデコーダ１１ｅ、および、制御部１１ｆによって構成されている。
【００４７】
ここで、ＴＵＮＥＲ１１ａは、パラボラアンテナ１０によって受信された電波を復調して、トランスポートストリームＴＳを出力する。
ＴＳデコーダ１１ｂは、複数のコンポーネントから構成されるＴＳを復号処理してもとのコンポーネントを生成するとともに、必要に応じてデスクランブル処理等を施す。
【００４８】
パーシャル１１ｃは、ＴＳデコーダ１１ｂによって復号されたＴＳから所定の番組に関するデータを抽出し、ディジタルＶＴＲ１４またはＨＤＤ１２に供給して記録させる。
【００４９】
ビデオデコーダ１１ｄは、ＴＳデコーダ１１ｂから供給された所定の番組の映像に係るＴＳパケットをデコードし、アナログ信号である映像信号を生成してモニタ１３に供給する。
【００５０】
オーディオデコーダ１１ｅは、ＴＳデコーダ１１ｂから供給された所定の番組の音声に係るＴＳパケットをデコードし、アナログ信号である音声信号を生成してモニタ１３に供給する。
【００５１】
制御部１１ｆは、ＣＰＵ（Central Processing Unit）およびメモリ等によって構成され、受信装置１１の各部を制御する。
図４は、図３に示すパーシャル１１ｃの詳細な構成例を示す図である。なお、この図において、図１２と共通する部分には、同一の符合を付してあるので、その説明は適宜省略する。この図に示す実施の形態は、図１２の場合と比較すると、入力ゲート４０およびデコーダ４１が新たに追加されている。その他の部分は、図１２の場合と同様である。
【００５２】
入力ゲート４０は、番組記録開始時に動作し、属性情報であるＰＡＴ，ＰＭＴを挿入するためにＴＳの入力を一時的に中断する。
デコーダ４１は、制御部１１ｆから供給される、ＰＡＴ，ＰＭＴ，ＳＩＴの挿入回数と優先順位を示すスタートテーブル（後述する）を参照し、バッファ管理部３３に対して属性情報の挿入に関する指示を通知する。
【００５３】
次に、以上の実施の形態の動作について説明する。
いま、受信装置１１に対して、番組Ａと番組ＢをＨＤＤ１２に対して記録する要求がなされたとすると、制御部１１ｆは予め設定されている（例えば、ユーザがマニュアル操作により設定した）スタートテーブルをパーシャル１１ｃに供給するとともに、番組の記録要求を行う。
【００５４】
図５は、スタートテーブルの一例を示す図である。スタートテーブルでは、各属性情報の挿入回数と優先順位とが示されている。この例では、ＰＡＴの挿入回数は３回であり、また、その優先順位は１であることが示されている。また、ＰＭＴ＿Ａ，ＰＭＴ＿Ｂの挿入回数は２回であり、優先順位はそれぞれ２，３であることが示されている。なお、ＰＭＴ＿Ｃは、番組Ｃが受信対象ではないことから挿入回数は０であり、また、優先順位は付与されていない。更に、ＳＩＴの挿入回数は１回であり、優先順位は４であることが示されている。
【００５５】
デコーダ４１は、このようなスタートテーブルに記述された内容をデコードし、バッファ管理部３３に対して、記述された内容に応じて属性情報が挿入されるように指示する。
【００５６】
図６は、パーシャルＴＳが生成される際の処理の流れを説明するための図である。図６（Ａ）は、入力ゲート４０から出力される入力ＴＳを示している。この図に示すように、入力ゲート４０に対して入力ＴＳの供給が開始されると、入力ゲート４０は、バッファ管理部３３からの指示に応じて所定の期間だけ入力ＴＳの入力を中断する。このとき、バッファ管理部３３は、デコーダ４１から供給されたスタートテーブルに記述された内容に応じて、バッファ３４に格納されている属性情報を取得し、セレクタ３５に供給する。なお、バッファ３４に格納されている属性情報は、記録の要求がなされる前に制御部１１ｆによって取得され、必要に応じて変更された後、格納されたものである。
【００５７】
いまの例では、スタートテーブルに記述されている優先順位が最も高い（１である）ＰＡＴがバッファ管理部３３によってバッファ３４から３回連続して取得され（図６（Ｃ）参照）、セレクタ３５によってパーシャルＴＳに挿入されて出力される。その結果、セレクタ３５から出力されるパーシャルＴＳの先頭には、図６（Ｃ）に示すように、３つのＰＡＴｎｅｗが連続して付加される。
【００５８】
続いて、バッファ管理部３３は、スタートテーブルを参照し、優先順位が次に高い（２である）ＰＭＴ＿Ａをバッファ３４から２回連続して取得し（図６（Ｃ）参照）、セレクタ３５によってパーシャルＴＳに挿入して出力する。
【００５９】
続いて、バッファ管理部３３は、スタートテーブルを参照し、優先順位が次に高い（３である）ＰＭＴ＿Ｂをバッファ３４から２回連続して取得し（図６（Ｃ）参照）、セレクタ３５によってパーシャルＴＳに挿入して出力する。
【００６０】
続いて、バッファ管理部３３は、スタートテーブルを参照し、優先順位が次に高い（４である）ＳＩＴをバッファ３４から取得し（図６（Ｃ）参照）、セレクタ３５によってパーシャルＴＳに挿入して出力する。
【００６１】
以上の処理により、セレクタ３５から出力されるパーシャルＴＳの先頭には、ＰＡＴが３個、ＰＭＴ＿Ａが２個、ＰＭＴ＿Ｂが２個、ＳＩＴが１個付加されることになる。
【００６２】
このように、同一種類の属性情報を繰り返し挿入するのは、ノイズ等の影響により属性情報が再生不能となる事態を回避するためである。
属性情報の出力が終了すると、入力ゲート４０は、入力の中断を解除し、入力ＴＳの受け入れを開始する。なお、これ以降の処理は、図１２の場合と同様であり、次に入力されるコンポーネントＶ＿Ａ〜Ｖ＿Ｂは、パーシャルＴＳとしてそのまま出力される（図６（Ａ），（Ｃ）参照）。続いてＰＡＴｏｒｇとＰＭＴ＿Ａｏｒｇが入力されると、制御部３０がこれを検知し、バッファ管理部３３の制御に応じて、セレクタ３５がバッファ３４から供給されたＰＡＴｎｅｗとＰＭＴ＿ＡｎｅｗによってＰＡＴｏｒｇとＰＭＴ＿Ａｏｒｇを置換し、パーシャルＴＳとして出力する。
【００６３】
図７は、本実施の形態によってＨＤＤ１２に記録されたデータの模式図である。この図に示すように、本実施の形態のパーシャル１１ｃから出力されるデータの先頭には、常にＰＡＴとＰＭＴとが少なくとも１つずつ付加されるので、再生する場合には、先頭部分に付加されたこれらの情報を参照することにより、記録されている全てのデータを再生することが可能となる。
【００６４】
従って、ＨＤＤ１２等の記録装置の記録容量を再生不能なデータによって浪費することを防止することができる。
なお、以上の実施の形態では、ＰＡＴの優先順位を最も高く設定するようにしたが、例えば、ＳＩＴの優先順位を最も高く設定することも考えられる。ＳＩＴには、番組のジャンル、出演者、録画日時等の番組に関する属性情報が記録されているので、このような情報をパーシャルＴＳの先頭に付加することにより、番組の検索を容易に行うことが可能となる。
【００６５】
図８は、ＳＩＴの優先順位を最も高く設定した場合において、複数の番組を記録した場合のＨＤＤ１２に記録されているデータの状態を示す模式図である。この図に示すように、それぞれの番組Ａ〜Ｃに係るパーシャルＴＳの先頭には、ＳＩＴが付加されている。従って、このＳＩＴの情報をデコードすることにより、その番組がどのような番組であり、また、出演者は誰であるかといった情報を迅速に得ることが可能となる。
【００６６】
最後に、以上の実施の形態では、属性情報であるＰＡＴおよびＰＭＴを複数個挿入する場合には、同一の属性情報を連続して挿入（例えば、ＰＡＴ，ＰＡＴ，ＰＡＴ，ＰＭＴ，ＰＭＴの順に挿入）するようにしたが、図６（Ｄ）に示すように、これらを交互に挿入するようにしてもよい。そのような方法によれば、ノイズ等の影響によって同一種類の属性情報が全て復元不能になるといった事態を回避することができる。
【００６７】
なお、以上の実施の形態では、パーシャルＴＳを例に挙げて説明を行ったが、本発明はこのような場合のみに限定されるものではなく、属性情報が所定の周期で挿入されたデータストリームを再生する全ての受信装置に適用することが可能である。また、以上の実施の形態では、受信装置１１にパーシャル１１ｃが組み込まれた場合を例に挙げて説明したが、パーシャル１１ｃを独立した構成としてもよいことはいうまでもない。
【００６８】
（付記１）  所定の周期で属性情報が挿入されたデータストリームを受信して記録装置に対して出力する受信装置において、
前記データストリームを受信する受信手段と、
前記受信手段によって受信されたデータストリームから前記属性情報を抽出する属性情報抽出手段と、
受信されたデータストリームの前記記録装置への記録要求がなされた場合には、前記属性情報抽出手段によって抽出された属性情報を、前記記録装置に記録するデータストリームの先頭に付加する付加手段と、
前記付加手段によって属性情報が付加されたデータストリームを、前記記録装置に対して転送する転送手段と、
を有することを特徴とする受信装置。
【００６９】
（付記２）  前記付加手段は、前記属性情報抽出手段によって抽出された属性情報に対して所定の変換処理を施して得られた属性情報を、前記データストリームに対して付加することを特徴とする付記１記載の受信装置。
【００７０】
（付記３）  前記属性情報は、１または２以上の種類の異なる情報によって構成され、
前記付加手段は、同一種類の情報を複数個繰り返して付加する、
ことを特徴とする付記１記載の受信装置。
【００７１】
（付記４）  前記種類の異なる情報のそれぞれには優先順位が付与されており、
前記付加手段は、前記優先順位に応じて、前記情報の各々を前記データストリームに対して付加する、
ことを特徴とする付記３記載の受信装置。
【００７２】
（付記５）  前記属性情報は、放送の内容を示す番組情報を有し、
前記付加手段は、前記データストリームの先頭に前記番組情報を付加する、
ことを特徴とする付記１記載の受信装置。
【００７３】
（付記６）  所定の周期で属性情報が挿入されたデータストリームを入力して記録装置に対して記録させる制御を行う記録制御装置において、
前記データストリームを入力する入力手段と、
前記入力手段から入力されたデータストリームから前記属性情報を抽出する属性情報抽出手段と、
入力されたデータストリームの前記記録装置への記録要求がなされた場合には、前記属性情報抽出手段によって抽出された属性情報を、前記記録装置に記録するデータストリームの先頭に付加する付加手段と、
前記付加手段によって属性情報が付加されたデータストリームを、前記記録装置に対して転送する転送手段と、
を有することを特徴とする記録制御装置。
【００７４】
【発明の効果】
以上説明したように本発明では、所定の周期で属性情報が挿入されたデータストリームを受信して記録装置に対して出力する受信装置において、データストリームを受信する受信手段と、受信手段によって受信されたデータストリームから属性情報を抽出する属性情報抽出手段と、受信されたデータストリームの記録装置への記録要求がなされた場合には、属性情報抽出手段によって抽出された属性情報を、記録装置に記録するデータストリームの先頭領域に付加する付加手段と、付加手段によって属性情報が付加されたデータストリームを、記録装置に対して転送する転送手段と、を有するようにしたので、全てのデータが再生可能となるようにデータストリームを記録装置に記録することが可能となる。また、属性情報を構成する１または２以上の種類の異なる情報のそれぞれに、優先順位を対応付けて記憶する優先順位記憶部を設け、付加手段が、優先順位記憶部の記憶情報に基づき、属性情報の中の優先順位が高い種類の情報ほど、データストリームの先頭領域に早い順番となるように付加するようにしたので、データストリームの再生時において、属性情報の中の所望の情報に迅速にアクセスして、その情報に基づく処理を実行できるようになる。
【図面の簡単な説明】
【図１】本発明の動作原理を説明する原理図である。
【図２】本発明の実施の形態の構成例を示す図である。
【図３】図２に示す受信装置の詳細な構成例を示す図である。
【図４】図３に示すパーシャルの詳細な構成例を示す図である。
【図５】スタートテーブルの一例を示す図である。
【図６】本実施の形態において、パーシャルＴＳが生成される際の処理の流れを説明するための図である。
【図７】本発明の実施の形態によりＨＤＤに格納されたパーシャルＴＳの一例を示す図である。
【図８】ＳＩＴの優先順位を最も高く設定した場合において、ＨＤＤに格納されたパーシャルＴＳの一例を示す図である。
【図９】属性情報とデータとの関係を示す図である。
【図１０】パーシャルＴＳに挿入される属性情報の種類とその機能の概要を説明する図である。
【図１１】受信装置がパーシャルＴＳパケットを受信する際の処理の流れを説明するための図である。
【図１２】ＴＳからパーシャルＴＳを生成する従来回路の一例を示す図である。
【図１３】図１２に示す従来回路において、パーシャルＴＳが生成される際の処理の流れを説明するための図である。
【図１４】図１２に示す従来回路により、ＨＤＤに格納されたパーシャルＴＳの一例を示す図である。
【符号の説明】
１  受信装置
１ａ  受信手段
１ｂ  属性情報抽出手段
１ｃ  付加手段
１ｄ  転送手段
２  記録装置
１０  パラボラアンテナ
１１  受信装置
１１ａ  ＴＵＮＥＲ
１１ｂ  ＴＳデコーダ
１１ｃ  パーシャル
１１ｄ  ビデオデコーダ
１１ｅ  オーディオデコーダ
１１ｆ  制御部
１２  ＨＤＤ
１３  モニタ
１４  ディジタルＶＴＲ
３０  制御部
３１  ＰＩＤ比較部
３２  タイマ
３３  バッファ管理部
３４  バッファ
３５  セレクタ
４０  入力ゲート
４１  デコーダ
【図１】
0004128323.tif 000002
【図２】
0004128323.tif 000003
【図３】
0004128323.tif 000004
【図４】
0004128323.tif 000005
【図５】
0004128323.tif 000006
【図６】
0004128323.tif 000007
【図７】
0004128323.tif 000008
【図８】
0004128323.tif 000009
【図９】
0004128323.tif 000010
【図１０】
0004128323.tif 000011
【図１１】
0004128323.tif 000012
【図１２】
0004128323.tif 000013
【図１３】
0004128323.tif 000014
【図１４】
0004128323.tif 000015